(57)【要約】【課題】画像データにその画像データの著作権に関する情報を視覚できないようにあるいは視覚しにくいように埋め込むことのできるダイレクトプリント機能付き画像処理装置を提供する。【解決手段】ダイレクトプリント機能を有する画像処理装置１０は、デジタルカメラ２０またはストレージメディア３０からダイレクトに得た画像データにその画像データの著作権に関する情報を含む著作権データを埋め込むデータ埋込部１０５と、データ埋込部１０５で処理された画像データを印刷用紙に印刷する印刷部１０６とを有する。【選択図】　　　　図１
2004072173.tif 000002
【特許請求の範囲】
【請求項１】
ダイレクトプリント機能を有する画像処理装置であって、
デジタルカメラまたはリムーバブルな記憶媒体からダイレクトに得た画像データにその画像データの著作権に関する情報を含む著作権データを埋め込む埋め込み手段と、
前記著作権データが埋め込まれた前記画像データを印刷用紙に印刷する印刷手段とを有することを特徴とする画像処理装置。
【請求項２】
前記ダイレクトプリント機能は、デジタルカメラまたはリムーバブルな記憶媒体からダイレクトに得た画像データを印刷する機能であることを特徴とする請求項１に記載の画像処理装置。
【請求項３】
前記埋め込み手段は、前記著作権データを前記画像データに視覚できないようにあるいは視覚しにくいように埋め込むことを特徴とする請求項１または２に記載の画像処理装置。
【請求項４】
前記著作権データを前記画像データに埋め込む前に、前記著作権データを暗号化する暗号化手段をさらに有することを特徴とする請求項１〜３の何れか１項に記載の画像処理装置。
【請求項５】
ダイレクトプリント機能を有する画像処理装置であって、
デジタルカメラまたはリムーバブルな記憶媒体からダイレクトに得た画像データに前記画像処理装置に固有のＩＤ情報を含むプリンタＩＤデータを埋め込む埋め込み手段と、
前記プリンタＩＤデータが埋め込まれた前記画像データを印刷用紙に印刷する印刷手段とを有することを特徴とする画像処理装置。
【請求項６】
前記ダイレクトプリント機能は、デジタルカメラまたはリムーバブルな記憶媒体からダイレクトに得た画像データを印刷する機能であることを特徴とする請求項５に記載の画像処理装置。
【請求項７】
前記埋め込み手段は、前記プリンタＩＤデータを前記画像データに視覚できないようにあるいは視覚しにくいように埋め込むことを特徴とする請求項５または６に記載の画像処理装置。
【請求項８】
前記プリンタＩＤデータを前記画像データに埋め込む前に、前記プリンタＩＤデータを暗号化する暗号化手段をさらに有することを特徴とする請求項５〜７の何れか１項に記載の画像処理装置。
【請求項９】
ダイレクトプリント機能を有する画像処理装置であって、
印刷用紙に記録された画像データを読み取る読み取り手段と、
前記画像データからその画像データの著作権に関する情報を含む著作権データを抽出する抽出手段とを有することを特徴とする画像処理装置。
【請求項１０】
前記ダイレクトプリント機能は、デジタルカメラまたはリムーバブルな記憶媒体からダイレクトに得た画像データを印刷する機能であることを特徴とする請求項９に記載の画像処理装置。
【請求項１１】
前記抽出手段は、前記画像データに視覚できないようにあるいは視覚しにくいように埋め込まれた前記著作権データを抽出することを特徴とする請求項９または１０に記載の画像処理装置。
【請求項１２】
前記画像データの著作権に関する情報を表示手段に表示する機能を更に有することを特徴とする請求項９〜１１の何れか１項に記載の画像処理装置。
【請求項１３】
ダイレクトプリント機能を有する画像処理装置であって、
印刷用紙に記録された画像データを読み取る読み取り手段と、
前記画像データからその画像データを前記印刷用紙に印刷した装置に固有のＩＤ情報を含むプリンタＩＤデータを抽出する抽出手段とを有することを特徴とする画像処理装置。
【請求項１４】
前記ダイレクトプリント機能は、デジタルカメラまたはリムーバブルな記憶媒体からダイレクトに得た画像データを印刷する機能であることを特徴とする請求項１３に記載の画像処理装置。
【請求項１５】
前記抽出手段は、前記画像データに視覚できないようにあるいは視覚しにくいように埋め込まれた前記プリンタＩＤデータを抽出することを特徴とする請求項１３または１４に記載の画像処理装置。
【請求項１６】
前記画像データが前記画像処理装置で印刷されたものであるか否かを判定する機能を更に有することを特徴とする請求項１３〜１５の何れか１項に記載の画像処理装置。
【発明の詳細な説明】
【０００１】
【発明の属する技術分野】
本発明は、デジタルカメラまたはリムーバブルな記憶媒体からダイレクトに得た画像データを印刷用紙に印刷する機能であるダイレクトプリント機能を有する画像処理装置に関するものである。
【０００２】
【従来の技術】
最近の画像処理装置には、デジタルカメラまたはリムーバブルな記憶媒体からダイレクトに得た画像データを印刷用紙に印刷する機能であるダイレクトプリント機能を有するものがある。
【０００３】
【発明が解決しようとする課題】
しかしながら、今までのダイレクトプリント機能付き画像処理装置には、画像データを印刷する前に、その画像データにその画像データの著作権に関する情報を知覚できないようにあるいは知覚しにくいように埋め込む機能を有するものはなかった。
【０００４】
また、今までのダイレクトプリント機能付き画像処理装置には、画像データを印刷する前に、その画像データにその画像データを印刷する装置に固有のＩＤ情報を知覚できないようにあるいは知覚しにくいように埋め込む機能を有するものもなかった。
【０００５】
また、今までのダイレクトプリント機能付き画像処理装置には、印刷用紙に印刷された画像データからその画像データの著作権に関する情報を抽出する機能を有するものもなかった。
【０００６】
また、今までのダイレクトプリント機能付き画像処理装置には、印刷用紙に印刷された画像データからその画像データをその印刷用紙に印刷した装置に固有のＩＤ情報を抽出する機能を有するものもなかった。
【０００７】
本発明の目的の一つは、画像データにその画像データの著作権に関する情報を視覚できないようにあるいは視覚しにくいように埋め込むことのできるダイレクトプリント機能付き画像処理装置を提供することである。
【０００８】
また、本発明の目的の一つは、画像データにその画像データを印刷する装置に固有のＩＤ情報を視覚できないようにあるいは視覚しにくいように埋め込むことのできるダイレクトプリント機能付き画像処理装置を提供することである。
【０００９】
また、本発明の目的の一つは、印刷用紙に印刷された画像データからその画像データの画像データの著作権に関する情報を抽出することのできるダイレクトプリント機能付き画像処理装置を提供することである。
【００１０】
また、本発明の目的の一つは、印刷用紙に印刷された画像データからその画像データをその印刷用紙に印刷した装置に固有のＩＤ情報を抽出することのできるダイレクトプリント機能付き画像処理装置を提供することである。
【００１１】
【課題を解決するための手段】
本発明に係る画像処理装置の一つは、ダイレクトプリント機能を有する画像処理装置であって、デジタルカメラまたはリムーバブルな記憶媒体からダイレクトに得た画像データにその画像データの著作権に関する情報を含む著作権データを埋め込む埋め込み手段と、前記著作権データが埋め込まれた前記画像データを印刷用紙に印刷する印刷手段とを有することを特徴とする。
【００１２】
本発明に係る画像処理装置の一つは、ダイレクトプリント機能を有する画像処理装置であって、デジタルカメラまたはリムーバブルな記憶媒体からダイレクトに得た画像データに前記画像処理装置に固有のＩＤ情報を含むプリンタＩＤデータを埋め込む埋め込み手段と、前記プリンタＩＤデータが埋め込まれた前記画像データを印刷用紙に印刷する印刷手段とを有することを特徴とする。
【００１３】
本発明に係る画像処理装置の一つは、ダイレクトプリント機能を有する画像処理装置であって、印刷用紙に記録された画像データを読み取る読み取り手段と、前記画像データからその画像データの著作権に関する情報を含む著作権データを抽出する抽出手段とを有することを特徴とする。
【００１４】
本発明に係る画像処理装置の一つは、ダイレクトプリント機能を有する画像処理装置であって、印刷用紙に記録された画像データを読み取る読み取り手段と、前記画像データからその画像データを前記印刷用紙に印刷した装置に固有のＩＤ情報を含むプリンタＩＤデータを抽出する抽出手段とを有することを特徴とする。
【００１５】
【発明の実施の形態】
以下、図１〜３を参照し、本発明に好適な実施の形態を説明する。
【００１６】
まず、図１を参照し、本実施の形態における画像処理装置１０の構成を説明する。画像処理装置１０は、デジタルカメラ２０またはストレージメディア３０からダイレクトに得た画像データを印刷用紙に印刷するダイレクトプリント機能と、印刷用紙に印刷された画像データを読み取るスキャン機能とを有する装置である。
【００１７】
デジタルインターフェース（Ｉ／Ｆ）部１０１は、有線通信機能あるいは無線通信機能を有するユニットであり、デジタルカメラ２０と接続可能である。
【００１８】
ストレージインターフェース（Ｉ／Ｆ）部１０２は、リムーバブルな記憶媒体であるストレージメディア３０と接続可能である。
【００１９】
メモリ１０３は、デジタルＩ／Ｆ部１０１またはストレージＩ／Ｆ部１０２から得られた画像データなどを記憶する記憶媒体である。
【００２０】
暗号化部１０４は、デジタルカメラ２０またはストレージメディア３０からダイレクトに得た画像データの著作権に関する情報を含む著作権データと、画像処理装置１０に固有のＩＤ情報を含むプリンタＩＤデータとを暗号鍵Ｋｅで暗号化するユニットである。なお、画像データの著作権データには、その画像データに固有のコンテンツＩＤを含めることも可能である。
【００２１】
データ埋込部１０５は、所定の電子透かし技術を用いて、デジタルカメラ２０またはストレージメディア３０からダイレクトに得た画像データに暗号鍵Ｋｅで暗号化された著作権データおよびプリンタＩＤデータを視覚できないようにあるいは視覚しにくいように埋め込むユニットである。
【００２２】
印刷部１０６は、デジタルカメラ２０またはストレージメディア３０からダイレクトに得た画像データを印刷用紙に印刷するユニットである。
【００２３】
読み取り部１０７は、印刷用紙に印刷された画像データを読み取るユニットである。
【００２４】
メモリ１０８は、印刷用紙から読み取られた画像データなどを記憶する記憶媒体である。
【００２５】
データ抽出部１０９は、所定の電子透かし技術を用いて、印刷用紙から読み取られた画像データからその画像データの著作権に関する情報を含む著作権データと、その画像データをその印刷用紙に印刷した装置に固有のＩＤ情報を含むプリンタＩＤデータとを抽出するユニットである。
【００２６】
復号化部１１０は、データ抽出部１０９で得られた著作権データおよびプリンタＩＤデータを暗号鍵Ｋｅに対応する復号鍵Ｋｄで復号化するユニットである。
【００２７】
表示部１１１は、液晶素子などからなる表示器を有し、画像処理装置１０に関する情報を表示するユニットである。
【００２８】
操作部１１２は、ダイレクトプリントモードまたはスキャンモードを選択するモード選択ボタンと、画像データの印刷の開始を指示する印刷ボタンと、画像データの読み取りの開始を指示する読み取りボタンとを有するユニットである。
【００２９】
制御部１１３は、画像処理装置１０が保持する各種の機能を制御するユニットである。制御部１１３内には、図２で説明するダイレクトプリント機能を制御するための制御プログラムと図３で説明するスキャン機能を制御するための制御プログラムとを記憶するメモリがある。また、制御部１１３内には、画像処理装置１０に固有のＩＤ情報を含むプリンタＩＤデータを記憶するメモリもある。
【００３０】
次に、図２のフローチャートを参照し、画像処理装置１０のダイレクトプリント機能を説明する。画像処理装置１０のダイレクトプリント機能は、画像処理装置１０をダイレクトプリントモードにしたときに有効になるものである。
【００３１】
ステップＳ２０１：ユーザが操作部１１２の印刷ボタンを押した場合、制御部１１３は、デジタルＩ／Ｆ部１０１またはストレージＩ／Ｆ部１０２を介し、デジタルカメラ２０またはストレージメディア３０から１つの画像データとその画像データの著作権に関する情報を含む著作権データとをダイレクトに取得し、それらをメモリ１０３に書き込む。なお、画像データの著作権データには、その画像データに固有のコンテンツＩＤがあってもよい。
【００３２】
ステップＳ２０２：制御部１１３は、暗号化部１０４に暗号化処理の開始を指示する。暗号化部１０４は、メモリ１０３から読み出した著作権データと画像処理装置１０に固有のＩＤ情報を含むプリンタＩＤデータとを暗号鍵Ｋｅで暗号化する。
【００３３】
ステップＳ２０３：制御部１１３は、データ埋込部１０５にデータ埋め込み処理の開始を指示する。データ埋込部１０５は、メモリ１０３から読み出した画像データに暗号鍵Ｋｅで暗号化された著作権データおよびプリンタＩＤデータを視覚てきないようにあるいは視覚しにくいように埋め込む。
【００３４】
ステップＳ２０４：制御部１１３は、印刷部１０６に印刷処理の開始を指示する。印刷部１０６は、データ埋込部１０５で処理された画像データを印刷用紙に印刷する。
【００３５】
このように、本実施の形態における画像処理装置１０によれば、デジタルカメラ２０またはストレージメディア３０からダイレクトに得た画像データを印刷する前に、その画像データにその画像データの著作権に関する情報を視覚できないようにあるいは視覚しにくいように埋め込むことができる。
【００３６】
また、本実施の形態における画像処理装置１０によれば、デジタルカメラ２０またはストレージメディア３０からダイレクトに得た画像データを印刷する前に、その画像データにその画像データを印刷する装置に固有のＩＤ情報を視覚できないようにあるいは視覚しにくいようにその画像データに埋め込むことができる。
【００３７】
また、本実施の形態における画像処理装置１０によれば、著作権データおよびプリンタＩＤデータを暗号化してから埋め込むことができるので、これらのデータの秘匿性を高めることができる。
【００３８】
次に、図３のフローチャートを参照し、画像処理装置１０のスキャン機能を説明する。画像処理装置１０のスキャン機能は、画像処理装置１０をスキャンモードにしたときに有効になるものである。
【００３９】
ステップＳ３０１：ユーザが操作部１１２の読み取りボタンを押した場合、制御部１１３は、読み取り部１０７に読み取り処理の開始を指示する。読み取り部１０７は、印刷用紙に印刷された画像データを読み取り、読み取った画像データをメモリ１０８に書き込む。
【００４０】
ステップＳ３０２：制御部１１３は、データ抽出部１０９にデータ抽出処理の開始を指示する。データ抽出部１０９は、メモリ１０８内の画像データから著作権データおよびプリンタＩＤデータを抽出する。
【００４１】
ステップＳ３０３：制御部１１３は、復号化部１１０に復号化処理の開始を指示する。復号化部１１０は、データ抽出部１０９で抽出された著作権データおよびプリンタＩＤデータを復号鍵Ｋｄで復号化し、復号化した著作権データおよびプリンタＩＤデータをメモリ１０８に書き込む。
【００４２】
ステップＳ３０４：制御部１１３は、メモリ１０８内の著作権データを読み出し、読み取り部１０７が印刷用紙から読み取った画像データの著作権に関する情報を表示部１１１に表示する。
【００４３】
ステップＳ３０５：制御部１１３は、メモリ１０８内のプリンタＩＤデータを読み出し、読み取り部１０７が印刷用紙から読み取った画像データを印刷した装置が画像処理装置１０であるか否かを判定する。
【００４４】
ステップＳ３０６：制御部１１３は、読み取り部１０７が印刷用紙から読み取った画像データを印刷した装置が画像処理装置１０であることを示すマーク（あるいは文字）を表示部１１１に表示する。
【００４５】
このように、本実施の形態における画像処理装置１０によれば、印刷用紙に印刷された画像データからその画像データの画像データの著作権に関する情報を抽出することができ、その情報をユーザに知らせることもできる。
【００４６】
また、本実施の形態における画像処理装置１０によれば、印刷用紙に印刷された画像データからその画像データをその印刷用紙に印刷した装置に固有のＩＤ情報を抽出することができ、その画像データが画像処理装置１０で印刷されたものであるか否かをユーザに知らせることもできる。
【００４７】
なお、本発明は、上記の実施の形態に限定されるものではない。例えば、本発明は、画像データの著作権に関する情報を含む著作権データ、および、画像データを印刷する装置に固有のＩＤ情報を含むプリンタＩＤデータの全てまたは何れかを暗号鍵Ｋｅで暗号化しない装置にも適用可能である。
【００４８】
【発明の効果】
本発明の一つによれば、デジタルカメラまたはリムーバブルな記憶媒体からダイレクトに得た画像データにその画像データの著作権に関する情報を視覚できないようにあるいは視覚しにくいように埋め込むことのできるダイレクトプリント機能付き画像処理装置を提供することができる。
【００４９】
また、本発明の一つによれば、デジタルカメラまたはリムーバブルな記憶媒体からダイレクトに得た画像データにその画像データを印刷する装置に固有のＩＤ情報を視覚できないようにあるいは視覚しにくいように埋め込むことのできるダイレクトプリント機能付き画像処理装置を提供することができる。
【００５０】
また、本発明の一つによれば、印刷用紙に印刷された画像データからその画像データの画像データの著作権に関する情報を抽出することのできるダイレクトプリント機能付き画像処理装置を提供することができる。
【００５１】
また、本発明の一つによれば、印刷用紙に印刷された画像データからその画像データをその印刷用紙に印刷した装置に固有のＩＤ情報を抽出することのできるダイレクトプリント機能付き画像処理装置を提供することができる。
【図面の簡単な説明】
【図１】本実施の形態における画像処理装置１０の構成を示すブロック図である。
【図２】画像処理装置１０のダイレクトプリント機能を説明するフローチャートである。
【図３】画像処理装置１０のスキャン機能を説明するフローチャートである。
【符号の説明】
１０　画像処理装置
２０　デジタルカメラ
３０　ストレージメディア
１０１　デジタルＩ／Ｆ部
１０２　ストレージＩ／Ｆ部
１０３　メモリ
１０４　暗号化部
１０５　データ埋込部
１０６　印刷部
１０７　読み取り部
１０８　メモリ
１０９　データ抽出部
１１０　復号化部
１１１　表示部
１１２　操作部
１１３　制御部
【図１】
2004072173.tif 000003
【図２】
2004072173.tif 000004
【図３】
2004072173.tif 000005